(57)【要約】【課題】弁体を斜め上方に引き上げることに起因するデメリットを抑制する一方で、弁体の移動ストロークを十分に確保することができる排水弁装置を提供すること。【解決手段】本発明は、洗浄水タンクの排水弁装置であって、排水口を開閉するための弁体と、弁体が排水口を開閉できるように弁体を可動に支持する筐体部と、外部からの操作力を受けて所定のストロークに亘って移動する操作体と、操作体の移動に連動して位置姿勢を変えるリンク機構と、を備える。リンク機構は、操作体の移動のストロークの前半行程に連動して弁体を閉鎖位置から中間引き上げ位置まで引き上げる第１リフト部材と、操作体の移動のストロークの後半行程に連動して弁体を中間引き上げ位置から更に上方へ引き上げる第２リフト部材と、を有している。第１リフト部材が弁体に作用する位置は、第２リフト部材が弁体に作用する位置よりも、平面視で弁体の中心側である。【選択図】図６
2020033739.tif 000002
【特許請求の範囲】
【請求項１】
便器本体を洗浄する洗浄水を貯える洗浄水タンクの排水弁装置であって、
前記洗浄水タンクに設けられた排水口を開閉するための弁体と、
前記洗浄水タンクの内部に取り付けられ、前記弁体が前記排水口を開閉できるように前記弁体を可動に支持する筐体部と、
前記洗浄水タンクの外部に露出しており、外部からの操作力を受けて所定のストロークに亘って移動する操作体と、
前記操作体の移動に連動して位置姿勢を変えるリンク機構と、
を備え、
前記リンク機構は、
前記操作体の移動のストロークの前半行程に連動して前記弁体を閉鎖位置から中間引上位置まで引き上げる第１リフト部材と、
前記操作体の移動のストロークの後半行程に連動して前記弁体を前記中間引上位置から更に上方へ引き上げる第２リフト部材と、
を有しており、
前記第１リフト部材が前記弁体を引き上げるように前記弁体に作用する位置は、前記第２リフト部材が前記弁体を引き上げるように前記弁体に作用する位置よりも、平面視で前記弁体の中心側である
ことを特徴とする排水弁装置。
【請求項２】
前記リンク機構は、前記洗浄水タンクの内部に設けられた回動軸回りに回動する回動アームを更に有しており、
前記回動アームの前記回動軸に対する一方側には、前記操作体と接触する接触部が設けられ、
前記回動アームの前記回動軸に対する他方側には、前記第１リフト部材及び前記第２リフト部材がそれぞれ支持されている
ことを特徴とする請求項１に記載の排水弁装置。
【請求項３】
前記回動アームが前記第１リフト部材を支持する位置は、前記回動アームが前記第２リフト部材を支持する位置よりも、前記回動軸に近い
ことを特徴とする請求項２に記載の排水弁装置。
【請求項４】
前記回動軸の軸線に垂直な断面において、前記回動アームが前記第１リフト部材を支持する位置と前記回動軸とを結んだ直線は、前記回動アームが前記第１リフト部材を支持する位置と前記回動アームが前記第２リフト部材を支持する位置とを結んだ直線に対して、鈍角を形成しており、
前記回動アームが前記第１リフト部材を支持する位置が、前記回動アームの回動によって前記回動軸よりも上方に至った時、前記回動アームが前記第２リフト部材を支持する位置は、未だ前記回動軸よりも下方にある
ことを特徴とする請求項３に記載の排水弁装置。
【請求項５】
前記接触部は、前記操作体との接触位置が、
前記操作体の移動のストロークの序盤においては前記回動軸に比較的近く、
前記操作体の移動のストロークの中盤においては前記回動軸から比較的遠くなり、
前記操作体の移動のストロークの終盤においては前記回動軸に再び比較的近くなる、
というカム面として構成されている
ことを特徴とする請求項２乃至４のいずれかに記載の排水弁装置。
【請求項６】
前記第１リフト部材は、前記回動軸の軸線に平行に延びる円筒面状の当接面を上面側に有する第１係合部を有しており、
前記弁体は、前記回動軸の軸線に平行に延びる凹円筒面状の当接面を下面側に有する第１干渉部を有しており、
前記弁体は、前記第１干渉部が前記第１リフト部材の前記第１係合部によって引き上げられるようになっており、
前記第２リフト部材は、前記回動軸の軸線に平行に延びる円筒面状の当接面を上面側に有する第２係合部を有しており、
前記弁体は、前記回動軸の軸線に平行に延びる凹円筒面状の当接面を下面側に有する第２干渉部を有しており、
前記弁体は、前記第２干渉部が前記第２リフト部材の前記第２係合部によって引き上げられるようになっており、
前記凹円筒面状の第１干渉部の当接面の曲率半径は、前記円筒面状の第１係合部の当接面の曲率半径よりも大きく、
前記凹円筒面状の第２干渉部の当接面の曲率半径は、前記円筒面状の第２係合部の当接面の曲率半径よりも大きい
ことを特徴とする請求項２乃至５のいずれかに記載の排水弁装置。
【請求項７】
前記第２リフト部材は、前記操作体の移動のストロークの前半行程においては、前記弁体を引き上げる作用を奏しない
ことを特徴とする請求項１乃至６のいずれかに記載の排水弁装置。
【請求項８】
便器本体を洗浄する洗浄水を貯える洗浄水タンクの排水弁装置であって、
前記洗浄水タンクに設けられた排水口を開閉するための弁体と、
前記洗浄水タンクの内部に取り付けられ、前記弁体が前記排水口を開閉できるように前記弁体を可動に支持する筐体部と、
前記洗浄水タンクの外部に露出しており、外部からの操作力を受けて所定のストロークに亘って移動する操作体と、
前記操作体の移動に連動して位置姿勢を変えるリンク機構と、
を備え、
前記リンク機構は、
前記操作体の移動の前半行程に連動して前記弁体を閉鎖位置から中間引上位置まで引き上げる第１リフト部材と、
前記操作体の移動の後半行程に連動して前記弁体を前記中間引上位置から更に上方へ引き上げる第２リフト部材と、
を有している
ことを特徴とする排水弁装置。
【発明の詳細な説明】
【技術分野】
【０００１】
本発明は、排水弁装置に係り、特に、外部からの操作力によって弁体を引き上げるタイプの排水弁装置に関する。
【背景技術】
【０００２】
従来から、便器本体を洗浄する洗浄水を貯える洗浄水タンクの排水弁装置として、例えば、特許文献１に記載されているように、洗浄水タンクに形成された排水口に取り付けられる排水口ユニットと、排水口を開閉する排水弁を備えた排水弁ユニットと、この排水弁ユニットの周囲を取り囲むように排水口ユニットに着脱可能に取り付けられたカップ状の筒体と、を備えた排水弁装置が知られている。
【０００３】
このような排水弁装置においては、便器の洗浄動作が開始されて排水弁が開弁されると、洗浄水タンク内の洗浄水が筒体の上端開口部から流入した後、洗浄水タンクの排水口から便器本体に洗浄水が供給されるようになっている。
【０００４】
また、特許文献２には、便器本体を洗浄する洗浄水を貯える洗浄水タンクの排水弁装置であって、洗浄水タンクに形成された排水口に取り付けられる排水口部と、当該排水口部に対して可動に設けられて前記排水口を開閉する弁体と、を有し、手動の操作によってリンク機構を介して弁体を引き上げる排水弁装置が開示されている。
【先行技術文献】
【特許文献】
【０００５】
【特許文献１】特許第５０５７１９０号公報
【特許文献２】特開２０１６−２７３９８６号公報
【発明の概要】
【発明が解決しようとする課題】
【０００６】
特許文献２に開示された構成では、リンク機構が弁体を引き上げるべく当該弁体に作用する位置が、平面視で当該弁体の中心（重心）から離れている。このため、リンク機構が弁体を引き上げるべく当該弁体に作用する際、弁体は斜め上方に引き上げられることになる。このような斜め上方への引き上げは、平面視で弁体の中心（重心）付近において弁体を直上に引き上げる場合と比較して、より大きな操作力を必要とする。
【０００７】
更に、斜め上方への引き上げは、弁体と当該弁体を可動に支持する筐体部（排水口部）との間で摺動抵抗が生じやすく、そのことによっても操作力が不所望に増大してしまう。
【０００８】
一方で、リンク機構が弁体を引き上げるべく当該弁体に作用する位置を、平面視で当該弁体の中心（重心）に近い位置に単に移動するだけでは、弁体の移動ストロークを十分に確保することが困難となる。
【０００９】
本発明は、以上のような背景の下になされたものである。本発明の目的は、弁体を斜め上方に引き上げることに起因するデメリットを抑制する一方で、弁体の移動ストロークを十分に確保することができる排水弁装置を提供することである。
【課題を解決するための手段】
【００１０】
本発明は、便器本体を洗浄する洗浄水を貯える洗浄水タンクの排水弁装置であって、前記洗浄水タンクに設けられた排水口を開閉するための弁体と、前記洗浄水タンクの内部に取り付けられ、前記弁体が前記排水口を開閉できるように前記弁体を可動に支持する筐体部と、前記洗浄水タンクの外部に露出しており、外部からの操作力を受けて所定のストロークに亘って移動する操作体と、前記操作体の移動に連動して位置姿勢を変えるリンク機構と、を備え、前記リンク機構は、前記操作体の移動のストロークの前半行程に連動して前記弁体を閉鎖位置から中間引上位置まで引き上げる第１リフト部材と、前記操作体の移動のストロークの後半行程に連動して前記弁体を前記中間引上位置から更に上方へ引き上げる第２リフト部材と、を有しており、前記第１リフト部材が前記弁体を引き上げるように前記弁体に作用する位置は、前記第２リフト部材が前記弁体を引き上げるように前記弁体に作用する位置よりも、平面視で前記弁体の中心側であることを特徴とする排水弁装置である。
【００１１】
本発明によれば、弁体を閉鎖位置から中間引き上げ位置まで引き上げる前半行程では、弁体に作用する位置が平面視で当該弁体の中心側である第１リフト部材が当該弁体を引き上げるため、弁体を斜め上方に引き上げることに起因するデメリットが抑制される。そして、弁体を中間引き上げ位置から更に上方へ引き上げる後半行程を実現するべく、第２リフト部材が設けられているため、弁体の移動ストロークを十分に確保することができる。
【００１２】
好ましくは、前記リンク機構は、前記洗浄水タンクの内部に設けられた回動軸回りに回動する回動アームを更に有しており、前記回動アームの前記回動軸に対する一方側には、前記操作体と接触する接触部が設けられ、前記回動アームの前記回動軸に対する他方側には、前記第１リフト部材及び前記第２リフト部材がそれぞれ支持されている。
【００１３】
これによれば、リンク機構をコンパクトに実装することができる。
【００１４】
この場合、更に好ましくは、前記回動アームが前記第１リフト部材を支持する位置は、前記回動アームが前記第２リフト部材を支持する位置よりも、前記回動軸に近い。
【００１５】
これによれば、第１リフト部材が弁体を引き上げる際に弁体に作用する位置が、第２リフト部材が弁体を引き上げる際に弁体に作用する位置より、平面視で弁体の中心側である、というレイアウトを実現することが容易である。
【００１６】
この場合、更に好ましくは、前記回動軸の軸線に垂直な断面において、前記回動アームが前記第１リフト部材を支持する位置と前記回動軸とを結んだ直線は、前記回動アームが前記第１リフト部材を支持する位置と前記回動アームが前記第２リフト部材を支持する位置とを結んだ直線に対して、鈍角を形成しており、前記回動アームが前記第１リフト部材を支持する位置が、前記回動アームの回動によって前記回動軸よりも上方に至った時、前記回動アームが前記第２リフト部材を支持する位置は、未だ前記回動軸よりも下方にある。
【００１７】
これによれば、リンク機構を更にコンパクトに実装することができる。
【００１８】
また、前記接触部は、前記操作体との接触位置が、前記操作体の移動のストロークの序盤においては前記回動軸に比較的近く、前記操作体の移動のストロークの中盤においては前記回動軸から比較的遠くなり、前記操作体の移動のストロークの終盤においては前記回動軸に再び比較的近くなる、というカム面として構成されていることが好ましい。
【００１９】
これによれば、滑らかな反力の推移を得ることができ、操作が快適となる。
【００２０】
また、前記第１リフト部材は、前記回動軸の軸線に平行に延びる円筒面状の当接面を上面側に有する第１係合部を有しており、前記弁体は、前記回動軸の軸線に平行に延びる凹円筒面状の当接面を下面側に有する第１干渉部を有しており、前記弁体は、前記第１干渉部が前記第１リフト部材の前記第１係合部によって引き上げられるようになっており、前記第２リフト部材は、前記回動軸の軸線に平行に延びる円筒面状の当接面を上面側に有する第２係合部を有しており、前記弁体は、前記回動軸の軸線に平行に延びる凹円筒面状の当接面を下面側に有する第２干渉部を有しており、前記弁体は、前記第２干渉部が前記第２リフト部材の前記第２係合部によって引き上げられるようになっており、前記凹円筒面状の第１干渉部の当接面の曲率半径は、前記円筒面状の第１係合部の当接面の曲率半径よりも大きく、前記凹円筒面状の第２干渉部の当接面の曲率半径は、前記円筒面状の第２係合部の当接面の曲率半径よりも大きいことが好ましい。
【００２１】
これによれば、第１リフト部材の第１係合部と第１干渉部との間の摺動抵抗、及び、第２リフト部材の第２係合部と第２干渉部との間の摺動抵抗を軽減することができる。
【００２２】
なお、前記第２リフト部材は、前記操作体の移動のストロークの前半行程においては、前記弁体を引き上げる作用を奏しないことが好ましい。
【００２３】
これによれば、弁体を斜め上方に引き上げることに起因するデメリットをより効果的に抑制することができる。
【００２４】
また、本発明は、便器本体を洗浄する洗浄水を貯える洗浄水タンクの排水弁装置であって、前記洗浄水タンクに設けられた排水口を開閉するための弁体と、前記洗浄水タンクの内部に取り付けられ、前記弁体が前記排水口を開閉できるように前記弁体を可動に支持する筐体部と、前記洗浄水タンクの外部に露出しており、外部からの操作力を受けて所定のストロークに亘って移動する操作体と、前記操作体の移動に連動して位置姿勢を変えるリンク機構と、を備え、前記リンク機構は、前記操作体の移動の前半行程に連動して前記弁体を閉鎖位置から中間引き上げ位置まで引き上げる第１リフト部材と、前記操作体の移動の後半行程に連動して前記弁体を前記中間引き上げ位置から更に上方へ引き上げる第２リフト部材と、を有していることを特徴とする排水弁装置である。
【００２５】
すなわち、本件出願の時点では、第２リフト部材が弁体を引き上げるように弁体に作用する位置をも、第１リフト部材が弁体を引き上げるように弁体に作用する位置と同程度に、平面視で弁体の中心側とした態様についても、本発明の一態様である。
【発明の効果】
【００２６】
本発明によれば、弁体を閉鎖位置から中間引き上げ位置まで引き上げる前半行程では、弁体に作用する位置が平面視で当該弁体の中心側である第１リフト部材が当該弁体を引き上げるため、弁体を斜め上方に引き上げることに起因するデメリットが抑制される。そして、弁体を中間引き上げ位置から更に上方へ引き上げる後半行程を実現するべく、第２リフト部材が設けられているため、弁体の移動ストロークを十分に確保することができる。
【図面の簡単な説明】
【００２７】
【図１】本発明の一実施形態による排水弁装置が適用される洗浄水タンク装置を備えた水洗大便器を示す概略図である。
【図２】図１のＩＩ−ＩＩ線に沿った断面斜視図である。
【図３】本発明の一実施形態による排水弁装置の平面図である。
【図４】図３のＩＶ−ＩＶ線に沿った断面図である（但し、筒体の図示が省略されている）。
【図５】図４に対応する断面図であって、第１リフト部材のみによって弁体が引き上げられている状態を示している。
【図６】図４に対応する断面図であって、第２リフト部材によって弁体が引き上げられ始めた状態を示している。
【図７】図４に対応する断面図であって、第２リフト部材のみによって弁体が引き上げられている状態を示している。
【図８】操作体と接触部との接触位置の推移を説明するための概略図である。
【発明を実施するための形態】
【００２８】
以下、添付図面を参照して、本発明の一実施形態による排水弁装置８について説明する。図１は、本発明の一実施形態による排水弁装置８が適用される洗浄水タンク装置４を備えた水洗大便器１を示す概略図であり、図２は、図１のＩＩ−ＩＩ線に沿った断面図である。
【００２９】
図１に示すように、本実施形態による排水弁装置８が適用される洗浄水タンク装置４を備えた水洗大便器１は、汚物を受ける便器本体２と、当該便器本体２の後方側の上面に配置された直方体状の洗浄水タンク装置４と、を備えている。
【００３０】
洗浄水タンク装置４には、操作体として、大洗浄ボタン４ａと小洗浄ボタン４ｂとが取り付けられている。大洗浄ボタン４ａと小洗浄ボタン４ｂとは、それぞれ、洗浄水タンク装置４の上面（洗浄水タンク６の上面）において外部に露出しており、外部からの操作力（通常は手動の押下力）を受けて所定のストロークに亘って下方に平行移動するようになっている。
【００３１】
図２に示すように、洗浄水タンク装置４は、洗浄水タンク６と、当該洗浄水タンク６の底面６ａに形成された排水口６ｂに取り付けられる本発明の一実施形態による排水弁装置８と、洗浄水タンク６の底面６ａに載置されて洗浄水タンク６内に洗浄水を供給する給水装置１０と、を備えている。
【００３２】
また、排水弁装置８は、オーバーフロー管１２を有しており、洗浄水タンク６内の洗浄水がオーバーフロー管１２の上端位置に相当する規定水位を超えた場合、排水弁装置８の下流側（後述する弁体３８の下流側）へ流出させるようになっている。
【００３３】
更に図３及び図４をも参照して、本発明の一実施形態による排水弁装置８の構造について説明する。図３は、本発明の一実施形態による排水弁装置８の平面図であり、図４は、図３のＩＶ−ＩＶ線に沿った断面図である。
【００３４】
図２乃至図４に示すように、本実施形態の排水弁装置８は、洗浄水タンク６に設けられた排水口６ｂを開閉するための円盤状の弁体３８と、洗浄水タンク６の内部に取り付けられ、弁体３８が排水口６ｂを開閉できるように弁体３８に固定された主軸部材３４を可動に支持する筐体部１８と、を備えている。
【００３５】
本実施形態の排水弁装置８の筐体部１８は、洗浄水タンク６の底面６ａを貫く円筒状の排水口６ｂに取り付けられる排水口部１４と、当該排水口部１４の更に上方に延びる略円筒状の弁体支持部１６と、を有している。弁体支持部１６には、主軸部材３４の上下移動を案内する摺動筒部１６ｓが設けられている。
【００３６】
より詳細には、排水口部１４は、略円筒状の排水口部本体２２と、排水口部本体２２の内側且つ下方に向かって縮径する縮径部２４ａと、縮径部２４ａから更に下方に向かって洗浄水タンク６の排水口６ｂを貫くように延びる排水路２４ｂと、縮径部２４ａの上縁に沿って略円環状に形成され上方に向けて突出している弁座２６と、を有している。縮径部２４ａと排水路２４ｂとが、排水路形成部２４を形成している。
【００３７】
縮径部２４ａの下方の外周には、鍔部３０が形成されている。そして、鍔部３０の下面と洗浄水タンク６の底面６ａとの間に、円環状のパッキン３２が挟持されている。
【００３８】
排水口部本体２２の弁座２６よりも上方の領域には、周方向に複数の連通口３６が形成されている。各連通口３６の開口断面は、図４に示す側面視において、矩形状に形成されている。
【００３９】
排水口部本体２２の外周面には、略カップ状の筒体２０（図２及び図３参照）が取り付けられている。各連通口３６は、筒体２０の内側で排水口部本体２２の外側の領域と排水口部本体２２の内側の領域とを連通させている。これにより、洗浄水タンク６内の洗浄水の水位が筒体２０の上縁よりも上方に位置する時、筒体２０内に流入した洗浄水が、各連通口３６から排水口部本体２２内に流入するようになっている。
【００４０】
また、縮径部２４ａには、オーバーフロー管１２の下方部分と排水口部１４の内部（弁体３８の下流側）とを連通させるオーバーフロー管接続部（不図示）が設けられている。
【００４１】
円盤状の弁体３８は、排水口部１４の弁座２６に対する上下移動（当接状態と離間状態との間の移動）によって、排水口６ｂを開閉できるようになっている。弁体３８の上下移動は、弁体を支持する主軸部材３４の上下移動が弁体支持部１６の摺動筒部１６ｓによって案内されることに伴って、案内されるようになっている。
【００４２】
前述した大洗浄ボタン４ａ及び小洗浄ボタン４ｂは、弁体３８の引き上げ動作を起動させる操作体であって、本実施形態の排水弁装置８の構成要素である。本実施形態の排水弁装置８は、弁体３８を引き上げるべく操作体４ａ、４ｂの移動に連動して位置姿勢を変えるリンク機構４０を備えている。
【００４３】
本実施形態のリンク機構４０は、操作体４ａの移動のストロークの前半行程に連動して弁体３８（主軸部材３４）を閉鎖位置から中間引き上げ位置まで引き上げる第１リフト部材４１と、操作体４ａの移動のストロークの後半行程に連動して弁体３８（主軸部材３４）を中間引き上げ位置から更に上方へ引き上げる第２リフト部材４２と、を有している。
【００４４】
また、本実施形態のリンク機構４０は、洗浄水タンク６の内部に設けられた回動軸４３回りに回動する回動アーム４４を更に有している。回動アーム４４の回動軸４３に対する一方側（図４の左側）には、操作体４ａと接触する接触部４５が設けられ、回動アーム４４の回動軸４３に対する他方側（図４の右側）には、第１リフト部材４１及び第２リフト部材４２の上端部がそれぞれ揺動可能に支持（軸支）されている。
【００４５】
本実施形態では、回動アーム４４が第１リフト部材４１の上端部を揺動可能に支持する位置Ｐ１は、回動アーム４４が第２リフト部材４２の上端部を揺動可能に支持する位置Ｐ２よりも、回動軸４３に近くなっている。
【００４６】
また、本実施形態では、回動軸４３の軸線に垂直な断面において、回動アーム４４が第１リフト部材４１を支持する位置Ｐ１と回動軸４３とを結んだ直線が、回動アーム４４が第１リフト部材４１を支持する位置Ｐ１と回動アーム４４が第２リフト部材４２を支持する位置Ｐ２とを結んだ直線に対して、鈍角を形成するようになっている。
【００４７】
これにより、回動アーム４４が第１リフト部材４１を支持する位置Ｐ１が、回動アーム４４の回動によって回動軸４３よりも上方に至った時、回動アーム４４が第２リフト部材４２を支持する位置Ｐ２は、未だ回動軸４３よりも下方にある（図５及び図６参照）。
【００４８】
また、本実施形態では、第１リフト部材４１の下端部が、主軸部材３４を介して弁体３８を引き上げる（弁体３４に引き上げ力を提供する）ようになっている。具体的には、第１リフト部材４１の下端部には、図４の紙面に対して垂直な手前方向及び奥方向に（回動軸４３の軸線に平行に）円筒面状の当接面を上面側に有する第１係合部４１ｅが延びており（第１リフト部材４１の全体は略逆Ｔ字状の形態である）、主軸部材３４には、当該第１係合部４１ｅと干渉するように、同様に図４の紙面に対して垂直な手前方向及び奥方向に（回動軸４３の軸線に平行に）延びる第１干渉部５１が設けられている。第１干渉部５１の下面側には、図４の紙面に対して垂直な手前方向及び奥方向に（回動軸４３の軸線に平行に）延びる凹円筒面状の当接面５１ａが設けられており、当該当接面５１ａの曲率半径は、円筒面状の第１係合部４１ｅの当接面の曲率半径よりも大きくなっている。以上のような構成により、第１リフト部材４１の第１係合部４１ｅは、第１干渉部５１を介して主軸部材３４（ひいては弁体３８）を引き上げるようになっている。
【００４９】
図４から明らかなように、第１リフト部材４１の下端部は、平面視で弁体３８の中心位置にある。すなわち、第１リフト部材４１が弁体３８を引き上げるべく主軸部材３４を介して当該弁体３８に作用する（引き上げ力を提供する）位置は、平面視で当該弁体３８の中心にある。
【００５０】
一方、本実施形態では、第２リフト部材４２の下端部も、主軸部材３４を介して弁体３８を引き上げる（弁体３４に引き上げ力を提供する）ようになっている。具体的には、第２リフト部材４２の下端部にも、図４の紙面に対して垂直な手前方向及び奥方向に（回動軸４３の軸線に平行に）円筒面状の当接面を上面側に有する第２係合部４２ｅが延びており（第２リフト部材４２の全体も略逆Ｔ字状の形態であるが、第１リフト部材４１よりも短い）、主軸部材３４には、当該第２係合部４２ｅと干渉するように、同様に図４の紙面に対して垂直な手前方向及び奥方向に（回動軸４３の軸線に平行に）延びる第２干渉部５２が設けられている。第２干渉部５２の下面側には、図４の紙面に対して垂直な手前方向及び奥方向に（回動軸４３の軸線に平行に）延びる凹円筒面状の当接面５２ａが設けられており、当該当接面５２ａの曲率半径は、円筒面状の第２係合部４２ｅの当接面の曲率半径よりも大きくなっている。以上のような構成により、第２リフト部材４２の第２係合部４２ｅは、第２干渉部５２を介して主軸部材３４（ひいては弁体３８）を引き上げるようになっている。
【００５１】
図４から明らかなように、第２リフト部材４２の下端部は、平面視で弁体３８の中心位置から外れた位置にある。すなわち、第２リフト部材４２が弁体３８を引き上げるべく主軸部材３４を介して当該弁体３８に作用する（引き上げ力を提供する）位置は、平面視で当該弁体３８の中心から外れた位置にある。
【００５２】
ここで、図５は、図４に対応する断面図であって、第１リフト部材４１のみによって弁体３８が引き上げられている状態を示している。図６は、図４に対応する断面図であって、第２リフト部材４２によって弁体３８が引き上げられ始めた状態を示している。図７は、図４に対応する断面図であって、第２リフト部材４２のみによって弁体３８が引き上げられている状態を示している。
【００５３】
また、図８は、操作体４ａと接触部４５との接触位置の推移を説明するための概略図である。接触部４５は、側面視の形状が芋虫の頭のような形状のカム面として構成されており、図８に示すように、操作体４ａとの接触位置が、当該操作体４ａの移動のストロークの序盤においては回動軸４３に比較的近く（図８（ａ）：図４の状態に対応）、当該操作体４ａの移動のストロークの中盤においては回動軸４３から比較的遠くなり（図８（ｂ）：図５の状態に対応）、当該操作体４ａの移動のストロークの終盤においては回動軸４３に再び比較的近くなる（図８（ｃ）：図６の状態に対応、図８（ｄ）：図７の状態に対応）。
【００５４】
次に、本実施形態による排水弁装置８の作用について説明する。
【００５５】
まず、使用者が大洗浄ボタン４ａ（操作体）を押下すると、当該大洗浄ボタン４ａが下方に洗浄水タンク６内に移動する。この移動に伴って、リンク機構４０が作動し、主軸部材３４を介して弁体３８が引き上げられる。
【００５６】
具体的には、大洗浄ボタン４ａの移動に伴って、回動アーム４４の接触部４５が下方に移動される（図８参照）。これにより、回動アーム４４が回動軸４３回りに回動する（図４乃至図７参照）。
【００５７】
大洗浄ボタン４ａの移動のストロークの序盤においては、大洗浄ボタン４ａと接触部４５との接触位置が回動軸４３に比較的近い（図８（ａ））。従って、てこの原理により、押下力を比較的大きな回動力として利用することができる。また、操作体４ａの移動のストロークの前半行程においては、第１リフト部材４１の下端部が、平面視で弁体３８の中心において、主軸部材３４を介して弁体３８を引き上げる。これらの特徴によって、閉鎖位置から弁体３８を引き上げる際には水圧に打ち勝つ引き上げ力を要するところ、弁体３８の滑らかな引き上げ動作を実現することができる（図５及び図６参照）。
【００５８】
弁体３８が引き上げられ、弁座２６から離間することで、排水路形成部２４の縮径部２４ａ及び排水路２４ｂが排水口部本体２２内と連通され、排水口６ｂが開放されることとる（図５乃至図７参照）。これにより、洗浄水タンク６内の洗浄水が、筒体２０内に流入し、更に連通口３６を介して排水口部本体２２内に流入し、排水路形成部２４の縮径部２４ａ及び排水路２４ｂを経て便器本体２へと排出されていく。
【００５９】
大洗浄ボタン４ａと接触部４５との接触位置は、当該大洗浄ボタン４ａの移動のストロークの中盤（前半行程の一部）においては回動軸４３から比較的遠くなり（図８（ｂ））、押下力を比較的大きなストロークとして利用することができる。これにより、滑らかな反力の推移を得ることができ、操作が快適である。
【００６０】
回動軸４３の軸線に垂直な断面において、回動軸３４の軸線と回動アーム４４が第１リフト部材４１を支持する位置Ｐ１とを結ぶ直線が、水平面に対して３０°辺りを超えると（図６）、その後の回動アーム４４の回動によって位置Ｐ１（第１リフト部材）は効果的に上昇しないため、第１リフト部材４１によって上昇ストロークを効果的に稼ぐことができない。一方、回動アーム４４が第２リフト部材４２を支持する位置Ｐ２は、未だ回動軸４３の下方にある。そこで、回動アーム４４の回動に伴う位置Ｐ２の上昇を利用するべく、第２リフト部材４２を利用した弁体の引き上げが開始される（操作体４ａの移動のストロークの後半行程）。
【００６１】
位置Ｐ１も位置Ｐ２も、回動アーム４４の回動に伴って更に上昇するが、上昇の程度は位置Ｐ２の方が大きいため（厳密には、第１リフト部材４１及び第２リフト部材４２の各々の傾斜具合も影響するが、本実施形態の例を含めて通常は無視できる程度である）、第２リフト部材４２による引き上げ速度の方が、第１リフト部材４１による引き上げ速度に勝って、第１リフト部材４１によるそれまでの引き上げ動作が第２リフト部材４２による引き上げ動作に円滑に引き継がれる（図７から図８）。
【００６２】
これにより、所望のストロークを確保することができる。この後半行程では、第２リフト部材４２の下端部が、平面視で弁体３８の中心から外れた位置において、主軸部材３４を介して弁体３８を引き上げるが、閉鎖位置から弁体３８を引き上げる際とは異なり、引き上げ力に抵抗する力（水圧等）が小さいため、弁体３８の滑らかな引き上げ動作を継続することができる。
【００６３】
また、大洗浄ボタン４ａと接触部４５との接触位置は、当該大洗浄ボタン４ａの移動のストロークの終盤（後半行程）においては、回動軸４３に再び比較的近くなり（図８（ｃ）、図８（ｄ））、押下力を再び比較的大きな回動力として利用することができる。これにより、滑らかな反力の推移を得ることができ、操作が快適である。
【００６４】
なお、大洗浄ボタン４ａの代わりに小洗浄ボタン４ｂが押下される場合には、例えば前述の前半行程に相当するストロークのみが利用され得る。
【００６５】
以上の通り、本実施形態の排水弁装置８によれば、弁体３８（及び主軸部材３４）を閉鎖位置から中間引き上げ位置まで引き上げる前半行程では、弁体３８に作用する位置が平面視で当該弁体３８の中心側である第１リフト部材４１が当該弁体３８を引き上げるため、弁体３８を斜め上方に引き上げることに起因するデメリットが抑制される。そして、弁体３８を中間引き上げ位置から更に上方へ引き上げる後半行程を実現するべく、第２リフト部材４２が設けられているため、弁体３８の移動ストロークを十分に確保することができる。
【００６６】
また、本実施形態の排水弁装置８においては、リンク機構４０が、洗浄水タンク６の内部に設けられた回動軸４３回りに回動する回動アーム４４を有しており、回動アーム４４の回動軸４３に対する一方側（図４の左側）に、操作体４ａと接触する接触部４５が設けられ、回動アーム４４の回動軸４３に対する他方側（図４の右側）に、第１リフト部材４１及び第２リフト部材４２がそれぞれ支持されている。これにより、リンク機構４０をコンパクトに実装することが可能である。
【００６７】
また、本実施形態の排水弁装置８においては、回動アーム４４が第１リフト部材４１を支持する位置Ｐ１が、回動アーム４４が第２リフト部材４２を支持する位置Ｐ２よりも、回動軸４３に近い。これにより、第１リフト部材４１が弁体３８を引き上げる際に弁体３８に作用する位置が、第２リフト部材４２が弁体３８を引き上げる際に弁体３８に作用する位置より、平面視で弁体３８の中心側である、というレイアウトを実現することが容易となっている。
【００６８】
また、本実施形態の排水弁装置８においては、回動軸４３の軸線に垂直な断面において、回動アーム４４が第１リフト部材４１を支持する位置Ｐ１と回動軸４３とを結んだ直線は、回動アーム４４が第１リフト部材４１を支持する位置Ｐ１と回動アーム４４が第２リフト部材４２を支持する位置Ｐ２とを結んだ直線に対して、鈍角を形成しており、回動アーム４４が第１リフト部材４１を支持する位置Ｐ１が、回動アーム４４の回動によって回動軸４３よりも上方に至った時、回動アーム４４が第２リフト部材４２を支持する位置Ｐ２は、未だ回動軸４３よりも下方にある。これにより、リンク機構４０を更にコンパクトに実装することができる。
【００６９】
また、本実施形態の排水弁装置８において、接触部４５は、操作体４ａとの接触位置が、操作体４ａの移動のストロークの序盤においては回動軸４３に比較的近く、操作体４ａの移動のストロークの中盤においては回動軸４３から比較的遠くなり、操作体４ａの移動のストロークの終盤においては回動軸４３に再び比較的近くなる、というカム面として構成されている。これにより、滑らかな反力の推移を得ることができ、操作が快適となる。
【００７０】
また、本実施形態の排水弁装置８において、第１リフト部材４１は、回動軸４３の軸線に平行に延びる円筒面状の当接面を上面側に有する第１係合部４１ｅを有しており、弁体３８に固定された主軸部材３４は、回動軸４３の軸線に平行に延びる凹円筒面状の当接面５１ａを下面側に有する第１干渉部５１を有しており、弁体３８は、第１干渉部５１が第１リフト部材４１の第１係合部４１ｅによって引き上げられるようになっており、第２リフト部材４２は、回動軸４３の軸線に平行に延びる円筒面状の当接面を上面側に有する第２係合部４２ｅを有しており、弁体３８に固定された主軸部材３４は、回動軸４３の軸線に平行に延びる凹円筒面状の当接面５２ａを下面側に有する第２干渉部５２を有しており、弁体３８は、第２干渉部５２が第２リフト部材４２の第２係合部４２ｅによって引き上げられるようになっており、凹円筒面状の第１干渉部５１の当接面５１ａの曲率半径は、円筒面状の第１係合部４１ｅの当接面の曲率半径よりも大きく、凹円筒面状の第２干渉部５２の当接面５２ａの曲率半径は、円筒面状の第２係合部４２ｅの当接面の曲率半径よりも大きい。これにより、第１リフト部材４１の第１係合部４１ｅと第１干渉部５１との間の摺動抵抗、及び、第２リフト部材４２の第２係合部４２ｅと第２干渉部５２との間の摺動抵抗を軽減することができる。
【００７１】
また、本実施形態の排水弁装置８において、第２リフト部材４２は、操作体４ａの移動のストロークの前半行程（第１リフト部材４１が弁体３８を引き上げている間）においては、弁体３８を引き上げる作用を奏しない。これにより、弁体３８を斜め上方に引き上げることに起因するデメリットをより効果的に抑制することができる。
【符号の説明】
【００７２】
１      水洗大便器
２      便器本体
４      洗浄水タンク装置
４ａ    大洗浄ボタン（操作体）
４ｂ    小洗浄ボタン（操作体）
６      洗浄水タンク
６ａ    底面
６ｂ    排水口
８      排水弁装置
１０    給水装置
１２    オーバーフロー管
１４    排水口部
１６    弁体支持部
２０    筒体
２２    排水口部本体
２４    排水路形成部
２４ａ  縮径部
２４ｂ  排水路
２６    弁座
３０    鍔部
３２    パッキン
３４    主軸部材
３６    連通口
３８    弁体
４０    リンク機構
４１    第１リフト部材
４１ｅ  第１係合部
４２    第２リフト部材
４２ｅ  第２係合部
４３    回動軸
４４    回動アーム
４５    接触部
５１    第１干渉部
５１ａ  当接面
５２    第２干渉部
５２ａ  当接面
Ｐ１    回動アームにおける第１リフト部材の上端の支持位置
Ｐ２    回動アームにおける第２リフト部材の上端の支持位置
【図１】
2020033739.tif 000003
【図２】
2020033739.tif 000004
【図３】
2020033739.tif 000005
【図４】
2020033739.tif 000006
【図５】
2020033739.tif 000007
【図６】
2020033739.tif 000008
【図７】
2020033739.tif 000009
【図８】
2020033739.tif 000010